(57)【特許請求の範囲】
【請求項１】
可般型の放送受信装置であって、
放送局に関する情報を保持する放送局情報保持部と、
前記放送受信装置の位置を検出する位置検出部と、
前記放送局情報保持部に保持される放送局に関する情報のうち、前記位置検出部により検出された位置の周囲に設定される範囲内で受信可能な放送局に関する情報を抽出する抽出部と、
前記位置検出部により検出された位置と、前記抽出部により抽出された放送局に関する情報とを、放送局に関する情報を統括的に管理する放送局情報管理装置に送信する送信部と、
前記送信部により送信された放送局に関する情報と、前記放送局情報管理装置により特定される前記位置の周囲に設定される範囲内で受信可能な放送局に関する情報との間に差異がある場合に、その差異を更新するための更新情報を、前記放送局情報管理装置から受信する受信部と、
前記受信部により受信された更新情報をもとに、前記放送局情報保持部に保持される放送局に関する情報を更新する更新部と、
を備えることを特徴とする放送受信装置。
【請求項２】
前記放送局に関する情報には、各放送局を一意に特定するための識別情報と、バージョン情報とが含まれ、
前記送信部は、前記抽出部により抽出された放送局に関する情報の前記識別情報と前記バージョン情報とを送信することを特徴とする請求項１に記載の放送受信装置。
【請求項３】
前記抽出部により前記位置の周囲に設定される範囲内で受信可能な放送局を抽出するためのアルゴリズムと、前記放送局情報管理装置により前記位置の周囲に設定される範囲内で受信可能な放送局を抽出するためのアルゴリズムとが同一であることを特徴とする請求項１または２に記載の放送受信装置。
【請求項４】
前記更新部は、前記受信部により前記更新情報のすべてが正常に受信された後、前記放送局情報保持部に保持される放送局に関する情報の更新を開始することを特徴とする請求項１から３のいずれかに記載の放送受信装置。
【請求項５】
収集された放送局に関する情報を保持する放送局情報保持部と、
可般型の放送受信装置から当該装置の位置と、当該位置の周囲に設定される範囲内で受信可能な放送局に関する情報を受信する受信部と、
前記放送局情報保持部に保持される放送局に関する情報のうち、前記受信部により受信された位置の周囲に設定される範囲内で受信可能な放送局に関する情報とを抽出する抽出部と、
前記受信部により受信された放送局に関する情報と、前記抽出部により抽出された放送局に関する情報とを比較する比較部と、
前記比較部による比較の結果、両者の間に差異がある場合に、その差異を更新するための更新情報を生成する更新情報生成部と、
前記更新情報生成部により生成された更新情報を、前記放送受信装置に送信する送信部と、
を備えることを特徴とする放送局情報管理装置。
【請求項６】
前記放送局に関する情報には、各放送局を一意に特定するための識別情報と、バージョン情報が含まれ、
前記比較部は、前記バージョン情報により、前記受信部により受信された放送局に関する情報と、前記抽出部により抽出された放送局に関する情報とが同一であるか否か判定することを特徴とする請求項５に記載の放送局情報管理装置。
【請求項７】
可般型の放送受信装置と、放送局に関する情報を統括的に管理する放送局情報管理装置とを備える放送局情報管理システムであって、
前記放送受信装置は、
放送局に関する情報を保持する第１放送局情報保持部と、
前記放送受信装置の位置を検出する位置検出部と、
前記第１放送局情報保持部に保持される放送局に関する情報のうち、前記位置検出部により検出された位置の周囲に設定される範囲内で受信可能な放送局に関する情報を抽出する第１抽出部と、
前記位置検出部により検出された位置と、前記第１抽出部により抽出された放送局に関する情報とを、前記放送局情報管理装置に送信する第１送信部と、
前記第１送信部により送信された放送局に関する情報と、前記放送局情報管理装置により特定される前記位置の周囲に設定される範囲内で受信可能な放送局に関する情報との間に差異がある場合に、その差異を更新するための更新情報を、前記放送局情報管理装置から受信する第１受信部と、
前記第１受信部により受信された更新情報をもとに、前記第１放送局情報保持部に保持される放送局に関する情報を更新する更新部と、を有し、
前記放送局情報管理装置は、
収集された放送局に関する情報を保持する第２放送局情報保持部と、
前記放送受信装置から当該装置の位置と、当該位置の周囲に設定される範囲内で受信可能な放送局に関する情報を受信する第２受信部と、
前記第２放送局情報保持部に保持される放送局に関する情報から、前記第２受信部により受信された位置の周囲に設定される範囲内で受信可能な放送局に関する情報を抽出する第２抽出部と、
前記第２受信部により受信された放送局に関する情報と、前記第２抽出部により抽出された放送局に関する情報とを比較する比較部と、
前記比較部による比較の結果、両者の間に差異がある場合に、その差異を更新するための更新情報を生成する更新情報生成部と、
前記更新情報生成部により生成された更新情報を、前記放送受信装置に送信する第２送信部と、を有する
ことを特徴とする放送局情報管理システム。
【請求項８】
可般型の放送受信装置が自装置の位置を検出する位置検出ステップと、
前記放送受信装置が保持する放送局に関する情報を参照して、前記検出された位置の周囲に設定される範囲内で受信可能な放送局に関する情報を抽出する第１抽出ステップと、
前記位置検出ステップにより検出された位置と、前記第１抽出ステップにより抽出された放送局に関する情報とを、放送局に関する情報を統括的に管理する放送局情報管理装置に送信する第１送信ステップと、
前記放送局情報管理装置が前記放送受信装置から当該装置の位置と、当該位置の周囲に設定される範囲内で受信可能な放送局に関する情報とを受信する第１受信ステップと、
前記放送局情報管理装置が保持する放送局に関する情報のうち、前記第１受信ステップにより受信された位置の周囲に設定される範囲内で受信可能な放送局に関する情報を抽出する第２抽出ステップと、
前記第１受信ステップにより受信された放送局に関する情報と、前記第２抽出ステップにより抽出された放送局に関する情報とを比較する比較ステップと、
前記比較ステップによる比較の結果、両者の間に差異がある場合に、その差異を更新するための更新情報を、前記放送受信装置に送信する第２送信ステップと、
前記放送受信装置が前記放送局情報管理装置から前記更新情報を受信する第２受信ステップと、
前記第２受信ステップにより受信された更新情報をもとに、前記放送受信装置が保持する放送局に関する情報を更新する更新ステップと、
を備えることを特徴とする放送局情報管理方法。
【発明の詳細な説明】
【技術分野】
【０００１】
本発明は、局所的な地域で放送されるデジタル放送を受信する放送受信装置、デジタル放送を送信する放送局に関する情報を管理する放送局情報管理装置、放送局情報管理システムおよび放送局情報管理方法に関する。
【背景技術】
【０００２】
これまでの日本における地上デジタル放送は、例えば、一つの都道府県という広域において同一内容の番組が放送されることを前提としていた。図１は、広域放送局から送出されるデジタル放送の受信地域の一例を示す図である。図１において広域放送局Ａ、広域放送局Ｂそれぞれを中心とした円は、それぞれの放送局から送信されるデジタル放送を受信できる範囲の一例を示している。このように、広域放送の受信地域は都道府県単位以上の広い領域になる。このような広域放送においては、通常のハイビジョン放送の番組と同じ内容のワンセグメント放送の番組が同時に放送されている（サイマル放送）。なお、このような広域放送のワンセグメント放送の受信機は、多くの携帯電話装置、スマートフォン、カーナビゲーション装置に搭載されているため、普及率が高まっている。
【０００３】
このような状況において、エリアワンセグメント放送の実証実験が行われている。これは、通常のワンセグメント放送での送信電力よりも小さい送信電力を使用する。この送信電力は最大で１０ｍＷ程度であり、微弱電力および小電力に分類される。微弱電力の場合の受信範囲は約１ｍであり、小電力の場合の受信範囲は約５００ｍである。したがって、広域ではなく局所的な放送となる。
【０００４】
エリアワンセグメント放送は、例えば、店舗の中の放送や、イベント会場内の放送に使用され、その店舗で売っている商品の情報や、イベント会場のイベントや出演者に関する情報を伝送する。つまり、エリアワンセグメント放送は、限定的な場所での放送であり、放送の内容もその場所に関係したものになる。このエリアワンセグメント放送は地上デジタル放送と同じくＵＨＦ帯の１３ｃｈから５２ｃｈの内、広域放送局が放送を行っていない、いわゆるホワイトスペースのチャンネルを使って送出される。
【０００５】
図２は、エリアワンセグメント放送局から送出されるデジタル放送の受信範囲の一例を示す図である。図２においてエリアワンセグメント放送局ＡＯＢ１から送出されるデジタル放送の受信範囲は、当該放送局を中心とした直径１００ｍの領域であり、エリアワンセグメント放送局ＡＯＢ２から送出されるデジタル放送の受信範囲は、当該放送局を中心とした直径２００ｍの領域である。
【０００６】
このようなエリアワンセグメント放送は局所的にしか受信できないため、エリアワンセグメント放送の信号を受信するためには、受信機を搭載した移動体端末を、そのエリアワンセグメント放送が行われているエリア近辺に移動させる必要がある。エリアワンセグメント放送と通常の広域放送とを比較すると、エリアワンセグメント放送では、店舗などの開店、閉店、イベントの有無により放送局が増減する。また、常時放送するわけでもない。そのため、エリアワンセグメント放送のチャンネルリストは、ある程度の頻度で更新する必要がある。
【０００７】
エリアワンセグメント放送は狭域で行われているがゆえ、どこの地域でどのチャンネルを使って放送が行われているかを受信端末側に認識させるために、非常に手間のかかる作業が必要である。すなわち、エリアワンセグメント放送が行われている地域に赴き、ＵＨＦ帯の１３ｃｈから５２ｃｈの全てのチャンネルを一つ一つ放送があるかどうかを調査するいわゆるチャンネルスキャンを行う必要があった。しかしながら、チャンネルスキャンは全部のチャンネルを調査していく上に、一つ一つのチャンネルの調査にも時間がかかるため、エリアワンセグメント放送を受信する準備を行うのに時間がかかる。１分以上かかってしまう場合もある。
【０００８】
これに対し、通信ネットワークを介してエリアワンセグメント放送のチャンネルリストを取得することが考えられる。例えば、携帯型の無線端末の現在位置を基地局に送信し、基地局側でその周辺情報を切り出し、当該無線端末に送信するシステムが提案されている（例えば、特許文献１参照）。
【先行技術文献】
【特許文献】
【０００９】
【特許文献１】特開平１１−１２２６７１号公報
【発明の概要】
【発明が解決しようとする課題】
【００１０】
エリアワンセグメント放送局は多数の存在が可能なため、通信ネットワークを用いて、エリアワンセグメント放送を受信するための情報を取得すると、現在の地域から遠く離れた地域のエリアワンセグメント放送など無駄なデータ取得が発生しやすくなる。例えば、上述した基地局を用いたシステムでは、端末側からアクセスするたびに同じ情報が送信されてくる可能性があり、送信される情報に無駄が多い、送信時間がかかる、送信されるデータ量が多い等の問題が発生しやすい。
【００１１】
本発明はこうした状況に鑑みてなされたものであり、その目的は、近隣で受信可能なエリアワンセグメント放送を受信するための情報を受信端末側が効率的に取得する技術を提供することにある。
【課題を解決するための手段】
【００１２】
本発明のある態様の放送受信装置は、可般型の放送受信装置であって、放送局に関する情報を保持する放送局情報保持部と、放送受信装置の位置を検出する位置検出部と、放送局情報保持部に保持される放送局に関する情報のうち、位置検出部により検出された位置の周囲に設定される範囲内で受信可能な放送局に関する情報を抽出する抽出部と、位置検出部により検出された位置と、抽出部により抽出された放送局に関する情報とを、放送局に関する情報を統括的に管理する放送局情報管理装置に送信する送信部と、送信部により送信された放送局に関する情報と、放送局情報管理装置により特定される位置の周囲に設定される範囲内で受信可能な放送局に関する情報との間に差異がある場合に、その差異を更新するための更新情報を、放送局情報管理装置から受信する受信部と、受信部により受信された更新情報をもとに、放送局情報保持部に保持される放送局に関する情報を更新する更新部と、を備える。
【００１３】
本発明の別の態様は、放送局情報管理装置である。この装置は、収集された放送局に関する情報を保持する放送局情報保持部と、可般型の放送受信装置から当該装置の位置と、当該位置の周囲に設定される範囲内で受信可能な放送局に関する情報とを受信する受信部と、放送局情報保持部に保持される放送局に関する情報のうち、受信部により受信された位置の周囲に設定される範囲内で受信可能な放送局に関する情報を抽出する抽出部と、受信部により受信された放送局に関する情報と、抽出部により抽出された放送局に関する情報とを比較する比較部と、比較部による比較の結果、両者の間に差異がある場合に、その差異を更新するための更新情報を生成する更新情報生成部と、更新情報生成部により生成された更新情報を、放送受信装置に送信する送信部と、を備える。
【００１４】
本発明のさらに別の態様は、放送局情報管理システムである。この放送局情報管理システムは、可般型の放送受信装置と、放送局に関する情報を統括的に管理する放送局情報管理装置とを備える放送局情報管理システムであって、放送受信装置は、放送局に関する情報を保持する第１放送局情報保持部と、放送受信装置の位置を検出する位置検出部と、第１放送局情報保持部に保持される放送局に関する情報のうち、位置検出部により検出された位置の周囲に設定される範囲内で受信可能な放送局に関する情報を抽出する第１抽出部と、位置検出部により検出された位置と、第１抽出部により抽出された放送局に関する情報とを、放送局情報管理装置に送信する第１送信部と、第１送信部により送信された放送局に関する情報と、放送局情報管理装置により特定される位置の周囲に設定される範囲内で受信可能な放送局に関する情報との間に差異がある場合に、その差異を更新するための更新情報を、放送局情報管理装置から受信する第１受信部と、第１受信部により受信された更新情報をもとに、第１放送局情報保持部に保持される放送局に関する情報を更新する更新部と、を有する。放送局情報管理装置は、収集された放送局に関する情報を保持する第２放送局情報保持部と、放送受信装置から当該装置の位置と、当該位置の周囲に設定される範囲内で受信可能な放送局に関する情報を受信する第２受信部と、第２放送局情報保持部に保持される放送局に関する情報から、第２受信部により受信された位置の周囲に設定される範囲内で受信可能な放送局に関する情報を抽出する第２抽出部と、第２受信部により受信された放送局に関する情報と、第２抽出部により抽出された放送局に関する情報とを比較する比較部と、比較部による比較の結果、両者の間に差異がある場合に、その差異を更新するための更新情報を生成する更新情報生成部と、更新情報生成部により生成された更新情報を、放送受信装置に送信する第２送信部と、を有する。
【００１５】
本発明のさらに別の態様は、放送局情報管理方法である。この方法は、可般型の放送受信装置が自装置の位置を検出する位置検出ステップと、放送受信装置が保持する放送局に関する情報を参照して、検出された位置の周囲に設定される範囲内で受信可能な放送局に関する情報を抽出する第１抽出ステップと、位置検出ステップにより検出された位置と、第１抽出ステップにより抽出された放送局に関する情報とを、放送局に関する情報を統括的に管理する放送局情報管理装置に送信する第１送信ステップと、放送局情報管理装置が放送受信装置から当該装置の位置と、当該位置の周囲に設定される範囲内で受信可能な放送局に関する情報とを受信する第１受信ステップと、放送局情報管理装置が保持する放送局に関する情報のうち、第１受信ステップにより受信された位置の周囲に設定される範囲内で受信可能な放送局に関する情報を抽出する第２抽出ステップと、第１受信ステップにより受信された放送局に関する情報と、第２抽出ステップにより抽出された放送局に関する情報とを比較する比較ステップと、比較ステップによる比較の結果、両者の間に差異がある場合に、その差異を更新するための更新情報を、放送受信装置に送信する第２送信ステップと、放送受信装置が放送局情報管理装置から更新情報を受信する第２受信ステップと、第２受信ステップにより受信された更新情報をもとに、放送受信装置が保持する放送局に関する情報を更新する更新ステップと、を備える。
【００１６】
なお、以上の構成要素の任意の組み合わせ、本発明の表現を方法、装置、システム、記録媒体、コンピュータプログラム等の間で変換したものもまた、本発明の態様として有効である。
【発明の効果】
【００１７】
本発明によれば、近隣で受信可能なエリアワンセグメント放送を受信するための情報を受信端末側が効率的に取得することができる。
【図面の簡単な説明】
【００１８】
【図１】広域放送局から送出されるデジタル放送の受信地域の一例を示す図である。
【図２】エリアワンセグメント放送局から送出されるデジタル放送の受信範囲の一例を示す図である。
【図３】本発明の実施の形態に係る放送局情報管理システムの構成を示す図である。
【図４】本発明の実施の形態に係る放送局情報管理システムの動作を説明するためのシーケンス図である。
【図５】放送受信装置の放送局情報保持部に保持されるエリアワンセグメント放送局情報の一例を示す図である。
【図６】図５に記述された送信機の位置分布を示す図である。
【図７】ＴＭＣＣ情報の構成を示す図である。
【図８】放送局情報管理装置の放送局情報保持部に保持されるエリアワンセグメント放送局情報の一例を示す図である。
【図９】図８に記述された送信機の位置分布を示す図である。
【図１０】図４のステップＳ２１の比較処理を説明するためのフローチャートである。
【図１１】放送受信装置の放送局情報保持部に保持されるエリアワンセグメント放送局情報の更新後の状態を示す図である。
【発明を実施するための形態】
【００１９】
図３は、本発明の実施の形態に係る放送局情報管理システム５００の構成を示す図である。放送局情報管理システム５００は、放送受信装置１００および放送局情報管理装置２００を備える。放送受信装置１００と放送局情報管理装置２００とは、ネットワーク３００（例えば、インターネットや携帯電話網）を介して双方向通信が可能な構成である。通常、放送受信装置１００は非常に多数存在する。一方、放送局情報管理装置２００は外部から見るとひとつに見えるが、中身は多数の同一装置になっているケースもある。
【００２０】
放送局端末装置４００は、エリアワンセグメント放送を行う各放送局に備えられ、エリアワンセグメント放送局に関する情報（以下適宜、エリアワンセグメント放送局情報という）をネットワーク３００を介して放送局情報管理装置２００に送信する。エリアワンセグメント放送局情報の具体例は後述する。放送局端末装置４００は送信機と一体であってもよいし、別の装置であってもよい。エリアワンセグメント放送の放送主体は、常に最新のエリアワンセグメント放送局情報を放送局端末装置４００を通じて、放送局情報管理装置２００に登録するようにする。
【００２１】
放送受信装置１００は、エリアワンセグメント放送を受信可能な可搬性のある装置である。例えば、放送受信装置１００として、携帯電話機、スマートフォン、携帯型音楽プレーヤ、カーナビゲーション装置、ゲーム機、放送受信専用機、電子辞書などが挙げられる。以下の説明では、携帯電話機またはスマートフォンを想定して説明する。
【００２２】
放送受信装置１００は、アンテナ１１、放送受信部１２、位置検出部１３、記憶部１４、制御部１６および通信部１９を備える。放送受信部１２は、アンテナ１１を介してデジタル放送電波を受信し、その電波の中から選局された放送信号を復調し、得られたデジタルストリームを制御部１６に出力する。位置検出部１３は、放送受信装置１００の現在位置を検出し、制御部１６に出力する。位置検出部１３は、例えばＧＰＳを用いて放送受信装置１００の現在位置を検出できる。さらに、ＧＰＳに加えてジャイロセンサを用いれば、より高精度に現在位置を検出できる。
【００２３】
記憶部１４は、放送局情報保持部１５を含む。放送局情報保持部１５は、エリアワンセグメント放送局情報を保持する。当該エリアワンセグメント放送局情報には、少なくとも各エリアワンセグメント放送局を一意に特定するための識別情報と、バージョン情報が含まれる。なお、識別情報は放送局情報管理装置２００によって管理され、全国全てのエリアワンセグメント放送局がユニークな識別情報になるように識別情報が付与されている。例えば、識別情報は放送局の位置と周波数の組み合わせといった複数の情報の組み合わせでもよい。
【００２４】
制御部１６は、抽出部１７および更新部１８を含む。これらの構成は、ハードウェア的には、任意のプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００２５】
抽出部１７は、放送局情報保持部１５に保持されるエリアワンセグメント放送局情報のうち、位置検出部１３により検出された放送受信装置１００の位置の周囲に設定される範囲内で受信可能なエリアワンセグメント放送局のエリアワンセグメント放送局情報を抽出する。当該設定される範囲の具体例は後述する。
【００２６】
通信部１９は、ネットワーク３００と接続するためのインターフェースである。本実施の形態では、主に以下に示すような情報の送受信を行う。通信部１９は、位置検出部１３により検出された放送受信装置１００の位置と、抽出部１７により抽出されたエリアワンセグメント放送局情報を放送局情報管理装置２００に送信する。その際、抽出されたエリアワンセグメント放送局情報の上記識別情報と上記バージョン情報のみを送信してもよい。また、通信部１９は、放送局情報管理装置２００から更新情報を受信し、制御部１６に出力する。
【００２７】
当該更新情報は、放送受信装置１００の通信部１９から放送局情報管理装置２００に送信されたエリアワンセグメント放送局情報と、放送局情報管理装置２００により特定される、当該位置の周囲に設定される範囲内で受信可能なエリアワンセグメント放送局のエリアワンセグメント放送局情報との間に差異がある場合に、その差異を更新するための情報である。より具体的には、放送局情報管理装置２００により特定されたエリアワンセグメント放送局情報に、放送受信装置１００の放送局情報保持部１５に保持されるエリアワンセグメント放送局情報を合わせるための情報である。
【００２８】
なお、放送受信装置１００の抽出部１７により放送受信装置１００の位置の周囲に設定される範囲と、放送局情報管理装置２００の後述する抽出部２５により、当該位置の周囲に設定される範囲とが対応または一致するように制御される。また、放送受信装置１００の抽出部１７により放送受信装置１００の位置の周囲に設定される範囲内で受信可能なエリアワンセグメント放送局を抽出するためのアルゴリズムと、放送局情報管理装置２００の後述する抽出部２５により、当該位置の周囲に設定される範囲内で受信可能なエリアワンセグメント放送局を抽出するためのアルゴリズムとは同一である。
【００２９】
更新部１８は、通信部１９により受信された更新情報をもとに、放送局情報保持部１５に保持されるエリアワンセグメント放送局情報を更新する。その際、通信部１９により更新情報のすべてが正常に受信された後、放送局情報保持部１５に保持されるエリアワンセグメント放送局情報の更新を開始することが好ましい。
【００３０】
放送局情報管理装置２００は、エリアワンセグメント放送局情報を統括的に管理する。放送局情報管理装置２００は、例えば、サーバで構成される。放送局情報管理装置２００は、広域の放送に対する識別子がユニークに存在する単位、すなわち一般的には国単位で一つ設置されるが、それより小さな行政単位（例えば、都道府県）で設置されてもよい。また、地域ごとに存在するサーバーをある一つのサーバーが統合して、全国で一つの情報として見せてもよい。
【００３１】
放送局情報管理装置２００は、通信部２１、記憶部２２および制御部２４を備える。記憶部２２は、放送局情報保持部２３を含む。放送局情報保持部２３は、管理すべき地域の放送局端末装置４００から収集されたエリアワンセグメント放送局情報を保持する。以下、本実施の形態では、放送局情報保持部２３は、放送局情報管理装置２００が管理すべき全ての地域（例えば、全国）のエリアワンセグメント放送局について、常に最新の情報を保持していることを前提とする。また、エリアワンセグメント放送の電波状況に影響を与える建造物の情報や、近接する周波数帯域の情報など、エリアワンセグメント放送に関連する情報についても、常に最新の情報を保持していることを前提とする。
【００３２】
通信部２１は、ネットワーク３００と接続するためのインターフェースである。本実施の形態では、主に以下に示すような情報の送受信を行う。通信部２１は、放送受信装置１００から放送受信装置１００の位置と、放送受信装置１００の位置の周囲に設定される範囲内で受信可能なエリアワンセグメント放送局のエリアワンセグメント放送局情報を受信する。また、通信部２１、後述する更新情報生成部２７により生成される更新情報を、放送受信装置１００に送信する。
【００３３】
制御部２４は、抽出部２５、比較部２６および更新情報生成部２７を含む。これらの構成は、ハードウェア的には、任意のプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００３４】
抽出部２５は、放送局情報保持部２３に保持されるエリアワンセグメント放送局情報のうち、通信部２１により受信された放送受信装置１００の位置の周囲に設定される範囲内で受信可能なエリアワンセグメント放送局のエリアワンセグメント放送局情報を抽出する。比較部２６は、通信部２１により受信されたエリアワンセグメント放送局情報と、抽出部２５により抽出されたエリアワンセグメント放送局情報とを比較する。比較部２６は、上記バージョン情報により、通信部２１により受信されたエリアワンセグメント放送局情報と、抽出部２５により抽出されたエリアワンセグメント放送局情報とが同一であるか否か判定することができる。更新情報生成部２７は、比較部２６による比較の結果、両者の間に差異がある場合に、その差異を更新するための更新情報を生成する。
【００３５】
図４は、本発明の実施の形態に係る放送局情報管理システム５００の動作を説明するためのシーケンス図である。このシーケンス図は、放送受信装置１００の放送局情報保持部１５に保持されるエリアワンセグメント放送局情報の一回の更新処理を示している。当該更新処理は、定期的（例えば、一日に一回、一時間に一回など）に実行されてもよいし、ユーザ操作に起因して実行されてもよいし、放送受信装置１００が予め設定された距離移動したことに起因して実行されてもよい。放送受信装置１００および放送局情報管理装置２００は、ネットワーク３００を介して双方向通信を行いながら協調して当該更新処理を実行する。
【００３６】
図５は、放送受信装置１００の放送局情報保持部１５に保持されるエリアワンセグメント放送局情報の一例を示す図である。以下の説明では、図４のシーケンス図に示される処理が開始される前の初期状態において、図５に示すエリアワンセグメント放送局情報が、放送受信装置１００の放送局情報保持部１５に保持されているとする。
【００３７】
図５に示すテーブルにおいて、各行にはそれぞれ一つのエリアワンセグメント放送局（以下適宜、送信機という）が割り当てられる。各列には項目として、「Ｎｏ」、「位置」、「ＩＤ」、「version」、「受信領域」、「物理ＣＨ」、「セグメント」および「ＴＭＣＣ情報」がそれぞれ割り当てられる。
【００３８】
「Ｎｏ」は、本明細書の説明を分かりやすくするために付加した送信機のシリアルナンバーであり、実際には設ける必要のない項目である。「位置」は送信機が設置されている位置を経度緯度で示したものである。図５では、「位置」は固定のもののみを扱うこととするが、送信機が車などの移動体に設置されていてもかまわない。「ＩＤ」は送信機に付加される放送局情報管理装置２００で管理される全ての送信機においてユニークな識別符号であり、各送信機には異なった識別符号が割り当てられる。図５では、送信機の位置の緯度経度と、同じ緯度経度内での送信機番号を組み合わせて識別符号を生成する例を示している。送信機１と送信機７は同じ位置に存在するため、識別符号の最後に付加される「−１」、「−２」により両者が異なることが認識される。なお、識別符号を生成するための規則は任意であり、他の規則が用いられてもよい。
【００３９】
「version」は各行に記述される情報のバージョンである。その行に記述される放送の受信に影響するパラメータが変化するたびに、0x0000からインクリメントされる。なお、このパラメータ変化は、どのパラメータも対象となり、その変化の大小も問わない。例えば、送信機自体に何も変化がない場合であっても、高層ビルなどが建つことにより次に説明する受信領域が変わり、「version」が変わることもある。図５では「version」を番号で記述しているが、そのパラメータが適用された日時で記述してもよい。
【００４０】
「受信領域」は、各エリアワンセグメント放送を受信できる領域を示したものである。半径１００ｍとは送信機の位置を中心に半径１００ｍ以内で受信可能なことを示す。図５では送信機６が「※１」と記述されている。これは受信領域が円領域でなく、緯度経度を複数指定して、それらをつないだ閉領域であることを示す。送信機６では、（東経135.0150度、北緯35.00200度）、（東経135.0100度、北緯35.00300度）、（東経135.0050度、北緯35.00200度）、（東経135.0100度、北緯35.00000度）の四点をつないだ閉領域が受信可能な領域となる。
【００４１】
図６は、図５に記述された送信機の位置分布を示す図である。図６では現実の日本付近の状況に合わせて経度0.0025度、緯度0.001度がそれぞれ約１００ｍに相当するものとして描いている。図６には、各送信機の「Ｎｏ」、「位置」、「受信領域」が描かれている。送信機６の「受信領域」が円領域でないことが分かる。
【００４２】
図５に戻る。「物理ＣＨ」は各エリアワンセグメント放送を行うＵＨＦ帯の物理チャンネル番号を示している。「セグメント」は通常、セグメント０が割り当てられる。現在、セグメント０でワンセグメント放送が行われている。ただし、将来の変化を考慮し、他のセグメントでもワンセグメント放送が可能となれば、０以外のセグメントが割り当てられてもよい。「ＴＭＣＣ情報」はワンセグメント放送を送信するためのＴＭＣＣに入れる送信パラメータである。
【００４３】
図７は、ＴＭＣＣ情報の構成を示す図である。このＴＭＣＣ情報の構成は、社団法人電波産業会で定める地上デジタル放送の規格「ＡＲＩＢ  ＳＴＤ−Ｂ３１」において定められているものである。
【００４４】
図８は、放送局情報管理装置２００の放送局情報保持部２３に保持されるエリアワンセグメント放送局情報の一例を示す図である。以下の説明では、図４のシーケンス図に示される処理が開始される前の初期状態において、図８に示すエリアワンセグメント放送局情報が、放送局情報管理装置２００の放送局情報保持部２３に保持されているとする。
【００４５】
図８と図５を比較すると、多くの箇所が共通しているが異なる箇所もある。図８のテーブルにおいて、図５と異なる箇所には下線を引いている。以下、異なる箇所を順番に説明する。送信機２の「version」と「受信領域」が異なる。送信機３の「version」と「セグメント」が異なる。送信機４が存在しない。なお、図８のテーブルには送信機４は本来、表示されないが、説明を分かりやすくするために便宜上、描いている。送信機７の「version」と「物理ＣＨ」が異なる。
【００４６】
送信機９は図５には存在しない送信機であり、全ての項目に下線が引いてある。送信機９は送信機１、７と同じ位置に存在するため、送信機１、７と識別可能なように、「ＩＤ」の末尾最後が「−３」となっている。
【００４７】
図９は、図８に記述された送信機の位置分布を示す図である。記述態様は図６と同様である。図９と図６とを比較すると、送信機２の「受信領域」が大きく変化したことが分かる。また、図９には送信機９が存在するが、送信機４が存在しないことが分かる。図６ではその逆の関係になる。
【００４８】
以上を前提に図４に示したシーケンス図について説明する。まず、放送受信装置１００の位置検出部１３は、放送受信装置１００の現在位置を検出する（Ｓ１０）。次に、放送受信装置１００の抽出部１７は、放送受信装置１００の現在位置周辺に設定される範囲内で受信可能なエリアワンセグメント放送局を、放送局情報保持部１５内の送信機一覧の中から検索し、抽出する（Ｓ１１）。次に、放送受信装置１００の通信部１９は、放送受信装置１００の現在位置と、抽出部１７により抽出された送信機の「ＩＤ」と「version」を放送局情報管理装置２００に送信する（Ｓ１２）。
【００４９】
例えば、図６の点Ａが放送受信装置１００の現在位置とする。その現在位置を中心または重心にして、その周囲に設定される範囲は円形、矩形など種々の形状が考えられるが、図６では一辺が長さ１００ｍの正方形の領域を考える。太線で描かれた領域Ｂがその領域である。この領域Ｂの中で受信できる送信機は、送信機１、４、７である。この場合、ステップＳ１２において放送受信装置１００から放送局情報管理装置２００に送信される情報は、放送受信装置１００の現在位置（北緯35.00100度、東経135.00250度）と、送信機１、４、７それぞれの「ＩＤ」と「version」である。
【００５０】
次に、放送局情報管理装置２００の抽出部２５は、放送受信装置１００から送信されてきた放送受信装置１００の現在位置を基準に設定された範囲内で受信可能なエリアワンセグメント放送局を、放送局情報保持部２３内の送信機一覧の中から検索し、抽出する（Ｓ２０）。次に、比較部２６は、抽出部２５により抽出された送信機の「ＩＤ」と「version」と、放送受信装置１００から送信されてきた送信機の「ＩＤ」と「version」とを比較する（Ｓ２１）。
【００５１】
上述した例に則して説明すると、抽出部２５は放送受信装置１００から送信されてきた放送受信装置１００の現在位置（北緯35.00100度、東経135.00250度）を抽出し、図９の点Ａを設定する。この点Ａは図６の点Ａと同じ位置である。そして、その位置を中心にして、その周囲に範囲を設定し、その範囲内で受信可能なエリアワンセグメント放送局のエリアワンセグメント放送局情報を抽出する。なお、当該範囲は放送受信装置１００で設定される範囲を決定するアルゴリズムと同一のアルゴリズムで決定される。すなわち、図６の領域Ｂと図９の領域Ｂが同じものとなる。図６の領域Ｂが正方形ならば、図９の領域Ｂも同様の正方形になり、仮に、図６の領域Ｂが円形ならば、図９の領域Ｂも同様の円形になる。
【００５２】
抽出部２５は、図９の範囲Ｂで受信できる送信機を図８のテーブルから抽出する。図９を参照すると分かるように送信機１、２、７の３つが抽出される。次に、比較部２６は送信機１、２、７の「ＩＤ」と「version」と、放送受信装置１００から送信されてきた送信機１、４、７の「ＩＤ」と「version」とを比較する。
【００５３】
まず送信機１に関して、放送受信装置１００から送信されてきた「version」とステップＳ２０で抽出された「version」を比較する。両者の「version」はともに0x0003であり、放送するためのパラメータは変わっていないと判断できる。すなわち、送信機１に関して比較結果は同じということになる。なお、送信機１といったシリアルナンバーを使用した表記は、説明の簡単化のために使用しているにすぎず、実際の比較は「ＩＤ」により行われる。
【００５４】
次に送信機２に関して、放送受信装置１００から送信されてくる情報には送信機２は存在しないが、ステップＳ２０で抽出された情報には送信機２が存在する。これは、図５と図８を比較すると分かるように、送信機２の受信領域が半径１０ｍから半径３００ｍに大きくなったため、領域Ｂが送信機２の受信領域に入るようになったためである。このため、ステップＳ２０で送信機２が新たに抽出される。このように、送信機２に関しては比較結果が異なるということになる。
【００５５】
次に送信機４に関して、放送受信装置１００から送信されてくる情報には送信機４は存在するが、ステップＳ２０で抽出された情報には送信機４が存在しない。これは、図５と図８を比較すると分かるように、送信機４自体がなくなってしまったことによる。このように、送信機４に関しても比較結果が異なるということになる。
【００５６】
次に送信機７に関して、放送受信装置１００から送信されてくる情報にも、ステップＳ２０で抽出された情報にも送信機７が存在する。しかしながら、図５と図８を比較すると分かるように、「物理ＣＨ」が異なる。その結果、「version」も異なる。なお、実際に比較するのは「version」である。このように、送信機７に関しても比較結果は異なるということになる。
【００５７】
以上、ステップＳ２１の比較処理を具体例に則して説明してきたが、以下、より一般的に説明する。図１０は、図４のステップＳ２１の比較処理を説明するためのフローチャートである。まず、図４のステップＳ１１で放送受信装置１００の抽出部１７により抽出された送信機と、図４のステップＳ２０で放送局情報管理装置２００の抽出部２５により抽出された送信機とを一つずつ比較する（Ｓ３０）。全ての比較を終了した場合（Ｓ３０のＹ）、ステップＳ２１の比較処理を終了する。
【００５８】
全ての比較が終了していない場合（Ｓ３０のＮ）、次の送信機を一つピックアップする（Ｓ３１）。その送信機の「ＩＤ」を参照し、その「ＩＤ」の送信機が、図４のステップＳ１１で抽出された送信機と、図４のステップＳ２０で抽出された送信機の両方に存在するか否か判断する（Ｓ３２）。両方に存在する場合（Ｓ３２のＹ）、同一の「ＩＤ」を持つ両方の送信機の「version」が同一か否か判断する（Ｓ３３）。同一の場合（Ｓ３３のＹ）、同一の「version」を持つ送信機の比較結果は同じと判定され、すなわち、同一の送信パラメータを持つと判定され、その送信機は上記更新情報の生成対象とならない。その後、ステップＳ３０に戻る。
【００５９】
ステップＳ３２において同じ「ＩＤ」の送信機が両方に存在しない場合（Ｓ３２のＮ）およびステップＳ３３において「version」が異なる場合（Ｓ３３のＮ）、ピックアップされた送信機の比較結果は異なると判定される。この場合、放送局情報管理装置２００の情報が優先され（Ｓ３４）、その送信機は上記更新情報の生成対象となる。その後、ステップＳ３０に戻る。なお、「version」が新しいほうの情報を優先するという手法を採用してもよい。この場合において、放送受信装置１００から送信されてきたほうの「version」が新しい場合、その送信機は上記更新情報の生成対象とならない。
【００６０】
図４に戻り、更新情報生成部２７は、放送受信装置１００の抽出部１７により抽出された送信機と放送局情報管理装置２００の抽出部２５により抽出された送信機の間で異なっている情報を抽出し、更新情報を生成する（Ｓ２２）。上述した例では、送信機１は同じで、送信機２、４、７が異なっている。更新情報生成部２７は、送信機２の「ＩＤ」、「version」、「受信領域」と、送信機４の「ＩＤ」、削除情報と、送信機７の「ＩＤ」、「version」、「物理ＣＨ」を含む更新情報を生成する。通信部２１は、更新情報生成部２７により抽出された、異なっている情報を更新情報として放送受信装置１００に送信する（Ｓ２３）。
【００６１】
放送受信装置１００の通信部１９は上記更新情報を受信し、更新部１８は、その更新情報をもとに放送局情報保持部１５に保持されるエリアワンセグメント放送局情報を更新する（Ｓ１３）。上述した例では、送信機２、４、７について更新する。図５と図８とを比較すると、送信機２、４、７以外にも異なるところがあるが、領域Ｂで受信可能なエリアワンセグメント放送の送信機だけが更新される。
【００６２】
図１１は、放送受信装置１００の放送局情報保持部１５に保持されるエリアワンセグメント放送局情報の更新後の状態を示す図である。図１１のテーブルにおいて、更新された箇所には下線を引いている。具体的には、送信機２の「version」、「受信領域」、送信機７の「version」、「物理ＣＨ」が更新されている。また、送信機４が削除されている。
【００６３】
なお、更新部１８は、放送局情報管理装置２００から送信されてくる全ての情報の受信が完了してから更新を開始する。これは中途半端な情報で更新するとデータの矛盾が発生する可能性があるためである。例えば、同じ場所に設置されている送信機１、２の「物理ＣＨ」がそれぞれ３０ｃｈ、３１ｃｈであり、両者が入れ替わる場合を想定する。送信機１の「物理ＣＨ」が３１ｃｈに変更するという情報は取得できたが、送信機２の「物理ＣＨ」が３０ｃｈに変更するという情報は取得できなかった場合において、更新部１８が放送局情報保持部１５のデータを更新してしまうと、送信機１、２とも同じ「物理ＣＨ」である３０ｃｈからデータを取得するということになり、矛盾が生じてしまう。これを防ぐために、全データを正常に受信したことを確認してから、更新部１８がデータ更新を開始するとよい。全データを正常に受信したことを確認するための手法としては、例えば、データにチェックサムやＣＲＣ（Cyclic Redundancy Check）を付加したり、データ長情報を予め受信側に送信し、受信側で全データが送信されてきたことを確認できるようにすればよい。
【００６４】
以上説明したように本実施の形態によれば、近隣で受信可能なエリアワンセグメント放送を受信するための情報を放送受信装置１００が効率的に取得することができる。すなわち、放送受信装置１００の現在位置と、その現在位置を基準に設定される範囲で受信可能なエリアワンセグメント放送のエリアワンセグメント放送局情報を放送局情報管理装置２００に送信する。放送局情報管理装置２００は、受信した放送受信装置１００の現在位置を基準に設定される範囲で受信可能なエリアワンセグメント放送のエリアワンセグメント放送局情報と、受信したエリアワンセグメント放送局情報とを比較し、その差分を更新情報として放送受信装置１００に送信する。このように、放送受信装置１００の現在位置近傍のエリアワンセグメント放送局情報のみを更新することにより、データ通信量を削減できる。また、バージョン情報を用いることにより、放送受信装置１００から放送局情報管理装置２００に送信されるデータ量をさらに削減できる。
【００６５】
また、放送受信装置１００側と放送局情報管理装置２００側で同一のアルゴリズムを用いて、それぞれのデータベースからエリアワンセグメント放送局情報を抽出することにより、両者のデータベースの同期を担保できる。
【００６６】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【符号の説明】
【００６７】
１００  放送受信装置、  １３  位置検出部、  １５  放送局情報保持部、  １７  抽出部、  １８  更新部、  ２００  放送局情報管理装置、  ２３  放送局情報保持部、  ２５  抽出部、  ２６  比較部、  ２７  更新情報生成部、  ５００  放送局情報管理システム。
【図１】
0005533679.tif 000002
【図２】
0005533679.tif 000003
【図３】
0005533679.tif 000004
【図４】
0005533679.tif 000005
【図５】
0005533679.tif 000006
【図６】
0005533679.tif 000007
【図７】
0005533679.tif 000008
【図８】
0005533679.tif 000009
【図９】
0005533679.tif 000010
【図１０】
0005533679.tif 000011
【図１１】
0005533679.tif 000012